(57)【要約】【課題】効率的にデータを処理するデータ中継装置を提供する。【解決手段】実施形態によれば、データ中継装置は、受信部と、補正部と、送信部と、を備える。受信部は、データ送信装置から計測結果と前記データ送信装置を示すデータ送信装置情報とを含むデータを受信する。補正部は、前記受信部が受信した前記データに含まれる前記データ送信装置情報に応じて前記データに含まれる前記計測結果を補正する。送信部は、前記補正部が前記計測結果を補正した補正結果を外部装置へ送信する。【選択図】図１
2015005043.tif 000002
【特許請求の範囲】
【請求項１】
データ送信装置から計測結果と前記データ送信装置を示すデータ送信装置情報とを含むデータを受信する受信部と、
前記受信部が受信した前記データに含まれる前記データ送信装置情報に応じて前記データに含まれる前記計測結果を補正する補正部と、
前記補正部が前記計測結果を補正した補正結果を外部装置へ送信する送信部と、
を備えるデータ中継装置。
【請求項２】
さらに、
前記補正部が行う補正に用いられる補正値を格納する補正情報格納部を
備え、
前記補正部は、前記データ送信装置情報が示す前記データ送信装置に対応する補正値を前記補正情報格納部から取得し、前記補正値を用いて前記計測結果を補正する、
前記請求項１に記載のデータ中継装置。
【請求項３】
さらに、
前記データの送信先である外部装置を示す宛先情報に基づいて前記データが送信される外部装置を決定する宛先判定部と、
を備え、
前記送信部は、前記宛先判定部が決定した外部装置へ前記データを送信する、
前記請求項１又は２の何れか１項に記載のデータ中継装置。
【請求項４】
前記宛先情報は、データ送信装置ごとに前記データの送信先である外部装置を示し、
前記宛先判定部は、前記データ送信装置情報と前記宛先情報に基づいて前記データを送信する外部装置を決定する、
前記請求項３に記載のデータ中継装置。
【請求項５】
前記宛先判定部は、送信先である外部装置がアナログデータに対応した装置であるか判定し、
さらに、
前記宛先判定部が送信先である外部装置がアナログデータに対応した装置であると判定した場合、前記外部装置へ送信するデータをアナログデータに変換し、変換されたアナログデータを前記外部装置へ送信する変換部を、
備える、
前記請求項３又は４の何れか１項に記載のデータ中継装置。
【請求項６】
さらに、
前記宛先情報を格納する宛先情報格納部を
備える、
前記請求項３乃至５の何れか１項に記載のデータ中継装置。
【請求項７】
データ送信装置からデータを受信する受信部と、
前記データの送信先である外部装置を示す宛先情報に基づいて前記データが送信される外部装置を決定する宛先判定部と、
前記宛先判定部が決定した外部装置へ前記データを送信する送信部と、
を備えるデータ中継装置。
【請求項８】
前記データは、前記データを送信したデータ送信装置を示すデータ送信装置情報を含み、
前記宛先情報は、データ送信装置ごとに前記データの送信先である外部装置を示し、
前記宛先判定部は、前記データ送信装置情報と前記宛先情報に基づいて前記データを送信する外部装置を決定する、
前記請求項７に記載のデータ中継装置。
【請求項９】
前記宛先判定部は、送信先である外部装置がアナログデータに対応した装置であるか判定し、
さらに、
前記宛先判定部が送信先である外部装置がアナログデータに対応した装置であると判定した場合、前記外部装置へ送信するデータをアナログデータに変換し、変換されたアナログデータを前記外部装置へ送信する変換部を、
備える、
前記請求項７又は８の何れか１項に記載のデータ中継装置。
【請求項１０】
さらに、
前記宛先情報を格納する宛先情報格納部を
備える、
前記請求項７乃至９の何れか１項に記載のデータ中継装置。
【発明の詳細な説明】
【技術分野】
【０００１】
本発明の実施形態は、データ中継装置に関する。
【背景技術】
【０００２】
計測装置などが計測した測定結果などのデータをＩＥＤなどの処理装置へ送信するデータ中継装置がある。従来、データ中継装置は、データをデータ中継装置に接続される全ての処理装置へそのまま送信している。そのため、処理装置は、自己が必要なデータを選別したり選別されたデータに適切な補正を行ったりする必要がある。
【先行技術文献】
【特許文献】
【０００３】
【特許文献１】特開２００２−３１５２３３号公報
【発明の概要】
【発明が解決しようとする課題】
【０００４】
上記の課題を解決するために、効率的にデータを処理するデータ中継装置を提供する。
【課題を解決するための手段】
【０００５】
実施形態によれば、データ中継装置は、受信部と、補正部と、送信部と、を備える。受信部は、データ送信装置から計測結果と前記データ送信装置を示すデータ送信装置情報とを含むデータを受信する。補正部は、前記受信部が受信した前記データに含まれる前記データ送信装置情報に応じて前記データに含まれる前記計測結果を補正する。送信部は、前記補正部が前記計測結果を補正した補正結果を外部装置へ送信する。
【図面の簡単な説明】
【０００６】
【図１】図１は、第１実施形態に係るデータ中継システムの構成例を示すブロック図である。
【図２】図２は、第２実施形態に係るデータ中継システムの構成例を示すブロック図である。
【図３】図３は、第３実施形態に係るデータ中継装置の構成例を示すブロック図である。
【図４】図４は、第４実施形態に係るデータ中継システムの構成例を示すブロック図である。
【発明を実施するための形態】
【０００７】
（第１実施形態）
まず、第１実施形態に係るデータ中継システムについて説明する。  
データ中継システムは、データ中継装置を用いて、マージングユニット（ＭＵ）などの計測装置（データ送信装置）が送信するデジタルデータをインテリジェンス電子デバイス（ＩＥＤ）などの処理装置へ送信する。データ中継システムは、たとえば、計測装置が測定した電圧、電流又は周波数などのデータを処理装置へ送信する。なお、計測装置が測定する対象物は、特定の対象物に限定されるものではない。また、データ中継システムが中継するデータは、測定結果のデータに限定されるものではない。
【０００８】
図１は、第１実施形態に係るデータ中継システム１０の構成例を示すブロック図である。  
図１が示すように、データ中継システム１０は、ＩＥＤ１ａ乃至１ｄ、計測装置（ＭＵ）２ａ乃至２ｄ、遮断機２４ａ乃至２４ｄ、計器用変成器２５ａ乃至２５ｄ、及び、データ中継装置３などを備える。データ中継装置３は、ＩＥＤ１ａ乃至１ｄ、及び、計測装置（ＭＵ）２ａ乃至２ｄと電気的に接続される。
【０００９】
ＩＥＤ１ａ乃至１ｄは、データ中継装置３から、ＭＵが送信するデジタルデータを受信する。ＩＥＤ１ａ乃至１ｄは、たとえば、有線又は無線ＬＡＮなどでデータ中継装置３とデータを送受信する。この場合、ＩＥＤ１ａ乃至１ｄは、有線又は無線ＬＡＮのインターフェースを備える。
【００１０】
ＩＥＤ１ａ乃至１ｄは、受信されるデジタルデータ１１ａ乃至１１ｄをそれぞれ格納する。ＩＥＤ１ａ乃至１ｄは、それぞれデジタルデータ１１ａ乃至１１ｄに所定の処理を行ってもよいし、他の外部装置へ送信してもよい。
【００１１】
ＩＥＤ１ａ乃至１ｄは、ＰＣなどのから構成されてもよい。たとえば、ＩＥＤ１ａ乃至１ｄは、ＣＰＵ、バッファメモリ、プログラムメモリ、及び不揮発性メモリなどを備える。ＣＰＵは、種々の演算処理を行う。バッファメモリは、ＣＰＵにより行われる演算の結果を一時的に記憶する。プログラムメモリ及び不揮発性メモリは、ＣＰＵが実行する種々のプログラム及び制御データなどを記憶する。ＩＥＤ１ａ乃至１ｄは、ＣＰＵによりプログラムメモリに記憶されているプログラムを実行することにより、種々の処理を行うことができる。
【００１２】
また、ＩＥＤ１ａ乃至１ｄは、専用のハードウェアとして構成されてもよい。  
なお、ＩＥＤ１は、３つ以下でも５つ以上であってもよい。ＩＥＤ１の個数は、特定の個数に限定されるものではない。
【００１３】
次に、ＭＵ２ａ乃至２ｄ、遮断機２４ａ乃至２４ｄ、計器用変成器２５ａ乃至２５ｄについて説明する。  
ここでは、ＭＵ２ａ、遮断機２４ａ及び計器用変成器２５ａについて説明する。
【００１４】
ＭＵ２０ａは、遮断機２４ａの機器状態、及び、計器用変成器２５ｂが測定する測定値などを取得し、取得された機器状態及び測定値などを示すデジタルデータを生成する。ＭＵ２０ａは、生成されたデジタルデータをデータ中継装置３へ送信する。
【００１５】
ＭＵ２０ａは、たとえば、有線又は無線ＬＡＮなどでデータ中継装置３とデータを送受信する。この場合、ＭＵ２０ａは、有線又は無線ＬＡＮのインターフェースを備える。
【００１６】
ＭＵ２０ａは、内部のメモリなどに、計測装置情報２１ａ、ＳＶ２２ａ及び機器情報２３ａなどを格納する。  
計測装置情報２１ａは、ＭＵ２０ａを識別する情報である。計測装置情報２１ａは、ＭＵ２０ａに固有に割り振られた情報である。たとえば、計測装置情報２１ａは、数値、文字列、記号、又はそれらの組み合わせなどであってもよい。計測装置情報２１ａは、ＭＵ２０ａの製造時などに、予めＭＵ２０ａに格納される。
【００１７】
計測装置情報２１ａは、ＭＵを特定するために使用される。たとえば、データ中継装置３又はＩＥＤ１ａ乃至１ｄが計測装置情報２１ａと共にデータを受信する場合に、データ中継装置３又はＩＥＤ１ａ乃至１ｄは、計測装置情報２１ａを参照することによって、どのＭＵから送信されたデータであるかを判定することができる。
【００１８】
ＳＶ２２ａは、計器用変成器２５ｂが測定した測定値を示すデジタルデータである。ＳＶ２２ａは、ＭＵ２０ａが計器用変成器２５ａから測定した測定値を受信する度に、書き換えられてもよい。即ち、ＭＵ２０ａは、計器用変成器２５ｂから測定値を受信すると、受信された測定値をデジタルデータに変換し、当該デジタルデータをＳＶ２２ａとして格納する。また、ＭＵ２０ａは、所定の間隔でＳＶ２２ａを更新してもよい。
【００１９】
機器情報２３ａは、遮断機２４ａの機器状態を示す。たとえば、機器情報２３ａは、遮断機２４ａの開閉状態を示してもよい。機器情報２３ａは、遮断機２４ａの機器状態が変化する度に、遮断機２４ａの機器状態に合わせて更新される。即ち、ＭＵ２０ａは、遮断機２４ａの機器状態が変化したことを検知すると、機器情報２３ａを遮断機２４ａの機器情報に合わせて更新する。たとえば、遮断機２４ａが開いた状態から閉じた状態へ変化すると、ＭＵ２０ａは、遮断機２４ａが閉じた状態であることを示すように機器情報２３ａを更新する。
【００２０】
遮断機２４ａは、電力系統を流れる電流を制御する。たとえば、遮断機２４ａは、リレーなどである。たとえば、遮断機２４ａは、オペレータによって動作されてもよい。また、遮断機２４ａは、所定の条件に従って他の装置によって動作されてもよい。  
ＭＵ２０ａは、遮断機２４ａの機器状態を取得することができる。たとえば、ＭＵ２０ａは、遮断機２４ａの機器状態を取得するためのセンサなどを備えてもよい。
【００２１】
計器用変成器２５ａは、図示されない交流回路の高電圧及び大電流を、測定可能な小電流に変換する機器である。計器用変成器２５ａは、交流回路に流れる元の電圧及び電流を測定可能な電圧及び電流へ変換した２次値をＭＵ２０ａへ送信してもよい。また、ＭＵ２ａは、独自のセンサで測定可能となった電圧及び電流などを測定してもよい。なお、計器用変成器２５ａは、交流回路に流れる電力を測定可能な電力へ変換した２次値をＭＵ２０ａへ送信してもよい。
【００２２】
なお、ＭＵ２０ａは、計器用変成器２５ａが変換した２次値を示すデジタルデータをＳＶ２２ａとして格納してもよい。また、ＭＵ２０ａは、２次値から元の値を算出し、算出された元の値を示すデジタルデータをＳＶ２２ａとして格納してもよい。
【００２３】
また、ＭＵ２０ａは、計器用変成器２５ａを備えずに直接交流回路を流れる電圧及び電流を測定してもよい。また、ＭＵ２０ａは、交流回路の電圧及び電流以外の値を測定してもよい。ＭＵ２０ａが測定する値は、特定の測定値に限定されるものではない。
【００２４】
ＭＵ２０ａは、ＰＣなどのから構成されてもよい。たとえば、ＭＵ２０ａは、ＣＰＵ、バッファメモリ、プログラムメモリ、及び不揮発性メモリなどを備える。ＣＰＵは、種々の演算処理を行う。バッファメモリは、ＣＰＵにより行われる演算の結果を一時的に記憶する。プログラムメモリ及び不揮発性メモリは、ＣＰＵが実行する種々のプログラム及び制御データなどを記憶する。ＭＵ２０ａは、ＣＰＵによりプログラムメモリに記憶されているプログラムを実行することにより、種々の処理を行うことができる。  
また、ＭＵ２０ａは、専用のハードウェアとして構成されてもよい。  
ＭＵ２０ａは、計測装置情報２１ａ、ＳＶ２２ａ、及び機器情報２３ａなどをデータ中継装置３へ送信する。ＭＵ２０ａは、所定の間隔で各データをデータ中継装置３へ送信してもよい。また、ＭＵ２０ａは、ＳＶ２２ａ又は機器情報２３ａが更新される度に、各データをデータ中継装置３へ送信してもよい。ＭＵ２０ａが各データをデータ中継装置３へ送信するタイミングは、特定の構成に限定されるものではない。
【００２５】
ＭＵ２ｂ乃至２ｄ、遮断機２４ｂ乃至２４ｄ、及び、計器用変成器２５ｂ乃至２５ｄは、それぞれＭＵ２ａ、遮断機２４ａ、及び、計器用変成器２５ａと同様の構成であるので説明を省略する。  
なお、ＭＵ２は、３つ以下でも５つ以上であってもよい。ＭＵ２の個数は、特定の個数に限定されるものではない。
【００２６】
データ中継装置３は、ＭＵ２０ａ乃至２０ｄが送信するデータを受信し、受信されたデータを補正し、補正されたデータをＩＥＤ１ａ乃至１ｄへ送信する。  
図１が示すように、データ中継装置３は、データ受信部３１、データ補正部３２、データ送信部３３及び補正情報格納部３４などを備える。
【００２７】
データ受信部３１は、ＭＵ２０ａ乃至２０ｄからデータ（即ち、測定装置情報２１、ＳＶ２２及び機器情報２３）を受信する。たとえば、データ中継装置３が有線又は無線ＬＡＮでＭＵ２０ａ乃至２０ｄとデータを送受信する場合、データ受信部３１は、有線又は無線ＬＡＮのインターフェースなどで構成される。  
データ受信部３１は、ＭＵ２０ａ乃至２０ｄから受信したデータを、データ補正部３２へ送信する。
【００２８】
補正情報格納部３４は、計測装置（ＭＵ）に対応した補正値を格納する。図１が示すように、補正情報格納部３４は、計測装置情報と補正値とを対応づけて格納している。図１が示す例において、補正情報格納部３４は、計測装置情報に対応する補正値として３つの補正値を格納する。たとえば、補正情報格納部３４は、計測装置情報「２ａ」に対応する補正値として補正値Ａ１、補正値Ｂ１及び補正値Ｃ１を備える。
【００２９】
補正値は、対応する計測装置情報が示すＭＵ２が送信するデータを補正するために使用される。たとえば、ＭＵ２ａを示す「２ａ」に対応する補正値である補正値Ａ１乃至Ｃ１は、ＭＵ２ａから送信されるデータを補正するために使用される。
【００３０】
補正値は、データ補正部３２が行う補正処理に対応する。たとえば、補正値Ａ１は、ゲイン調整に用いられる係数などであってもよい。また、補正値Ｂ１は、位相調整に用いられる角度などであってもよい。また、補正値Ｃ１は、位相反転の要否を示すものであってもよい。
【００３１】
なお、補正値の数は、対応する計測装置（ＭＵ）によって異なってもよい。また、補正値は、計測装置によって異なる補正処理に対応するものであってもよい。補正値の構成は、特定の構成に限定されるものではない。
【００３２】
補正情報格納部３４は、予め補正値を格納する。補正値は、対応するＭＵ２が出力するデータを予め検証することで、決定される。たとえば、補正値は、製造時に、オペレータなどの操作によって補正情報格納部３４に格納されてもよい。また、補正値は、運用中にオペレータなどの操作によって更新されてもよい。
【００３３】
データ補正部３２は、データ受信部３１が受信したデータを補正情報格納部３４が格納する補正値に基づいて補正する。  
即ち、データ補正部３２は、当該データの計測装置情報２１を参照し当該データを送信した計測装置（ＭＵ）２を特定する。ＭＵ２を特定すると、データ補正部３２は、補正情報格納部３４から、特定したＭＵ２に対応する補正値を取得する。
【００３４】
補正値を取得すると、データ補正部３２は、取得された補正値を用いて当該データのＳＶ２２が示す値を補正する。たとえば、データ補正部３２は、ゲイン調整、位相調整及び位相反転の処理によって当該値を補正する。データ補正部３２が行う補正は、特定の構成に限定されるものではない。  
ＳＶ２２が示す値を補正すると、データ補正部３２は、補正された値を示す補正ＳＶをデータ送信部３３へ送信する。
【００３５】
データ送信部３３は、ＭＵ２から送信された計測装置情報２１並びに機器情報２３、及びデータ補正部３２が補正した補正ＳＶをＩＥＤ１へ送信する。データ送信部３３は、ＩＥＤ１ａ乃至１ｄの全てに各データを送信してもよい。また、後述するように、データ送信部３３は、特定のＩＥＤ１に対して各データを送信してもよい。なお、データ送信部３３は、計測装置情報２１、補正ＳＶ及び機器情報２３の一部をＩＥＤ１へ送信してもよい。
【００３６】
たとえば、データ中継装置３が有線又は無線ＬＡＮでＭＵ２０ａ乃至２０ｄとデータを送受信する場合、データ送信部３３は、有線又は無線ＬＡＮのインターフェースなどで構成される。
【００３７】
データ中継装置３は、ＰＣ又はハブなどのから構成されてもよい。たとえば、データ中継装置３は、ＣＰＵ、バッファメモリ、プログラムメモリ、及び不揮発性メモリなどを備える。ＣＰＵは、種々の演算処理を行う。バッファメモリは、ＣＰＵにより行われる演算の結果を一時的に記憶する。プログラムメモリ及び不揮発性メモリは、ＣＰＵが実行する種々のプログラム及び制御データなどを記憶する。データ中継装置３は、ＣＰＵによりプログラムメモリに記憶されているプログラムを実行することにより、種々の処理を行うことができる。また、補正情報格納部３４は、不揮発性メモリから構成されてもよい。  
なお、データ受信部３１及びデータ送信部３３は、同一のインターフェースで構成されてもよい。
【００３８】
次に、データ中継システム１０の動作例について説明する。  
ここでは、ＭＵ２ａが送信するデータを中継する動作例について説明する。  
まず、計器用変成器２５ａは、測定対象物である交流回路の電圧、電流又は電力を測定可能な電圧、電流又は電力の２次値へ変換する。測定対象物である交流回路の電圧、電流又は電力を測定可能な電圧、電流又は電力の２次値へ変換すると、計器用変成器２５ａは、変換された２次値をＭＵ２ａへ送信する。
【００３９】
ＭＵ２ａは、計器用変成器２５ａが変換した２次値を受信する。２次値を受信すると、ＭＵ２ａは、２次値を示すデジタルデータを生成し、生成されたデジタルデータをＳＶ２２ａとして格納する。
【００４０】
ＳＶ２２ａを格納すると、ＭＵ２ａは、センサなどを用いて、遮断機２４ａの機器情報を取得する。機器状態を取得すると、ＭＵ２ａは、取得された機器状態を示すデジタルデータを生成し、生成されたデジタルデータを機器情報２３ａとして格納する。
【００４１】
なお、ＭＵ２ａは、機器情報２３ａを格納してから、ＳＶ２２ａを格納してもよいし、同時に両者を格納してもよい。  
機器情報２３ａを格納すると、ＭＵ２ａは、計測装置情報２１ａ、ＳＶ２２ａ、及び機器情報２３ａなどをデータ中継装置３へ送信する。
【００４２】
データ中継装置３のデータ受信部３１は、ＭＵ２ａから計測装置情報２１ａ、ＳＶ２２ａ、及び機器情報２３ａを受信する。
【００４３】
データ受信部３１が各データを受信すると、データ補正部３２は、計測装置情報２１ａから計測装置を特定する。ここでは、データ補正部３２は、ＭＵ２ａが計測装置であると特定する。
【００４４】
計測装置を特定すると、データ補正部３２は、計測装置（ここでは、ＭＵ２ａ）に対応する補正値を補正情報格納部３４から取得する。ここでは、データ補正部３２は、ＭＵ２ａに対応する補正値Ａ１、補正値Ｂ１及び補正値Ｃ１を取得する。
【００４５】
補正値を取得すると、データ補正部３２は、取得された補正値を用いてＳＶ２２ａが示す値を補正する。ここでは、データ補正部３２は、補正値Ａ１、補正値Ｂ１及び補正値Ｃ１を用いてＳＶ２２ａが示す値を補正する。
【００４６】
データ補正部３２がＳＶ２２ａが示す値を補正すると、データ送信部３３は、補正された値を示す補正ＳＶ、計測装置情報２１ａ及び機器情報２３ａなどをＩＥＤ１ａ乃至１ｄへ送信する。データ送信部３３は、補正ＳＶ、計測装置情報２１ａ及び機器情報２３ａなどを全てのＩＥＤ１ａ乃至１ｄへ送信してもよい。また、データ送信部３３は、補正ＳＶ、計測装置情報２１ａ及び機器情報２３ａなどをＩＥＤ１ａ乃至１ｄの一部へ送信してもよい。
【００４７】
ＩＥＤ１ａ乃至１ｄの全て又は一部は、補正ＳＶ、計測装置情報２１ａ及び機器情報２３ａなどを受信する。補正ＳＶ、計測装置情報２１ａ及び機器情報２３ａを受信したＩＥＤ１は、デジタルデータ１１として必要なデータを格納する。
【００４８】
たとえば、データ送信部３３がすべてのＩＥＤ１ａ乃至１ｄへ各データを送信した場合、ＩＥＤ１ａ乃至１ｄは、自己が必要とするデータを各データから選別し、選別されたデータをデジタルデータ１１ａ乃至１１ｄに格納してもよい。また、データ送信部３３がＩＥＤ１ａ乃至１ｄの一部へ各データを送信した場合、各データを受信したＩＥＤ１は、各データを選別することなく、すべてのデータをデジタルデータ１１として格納してもよい。  
ＩＥＤ１ａ乃至１ｄが各データを受信すると、データ中継装置３は、動作を終了する。
【００４９】
なお、データ補正部３２は、複数のＭＵ２が送信する複数のＳＶ２２に基づいて他のパラメータを算出してもよい。この場合、データ送信部３３は、算出されたパラメータをＩＥＤ１へ送信してもよい。
【００５０】
たとえば、データ補正部３２は、電流を示すＳＶ２２（たとえば、ＳＶ２２ａ）と電圧を示すＳＶ２２（たとえば、ＳＶ２２ｂ）とを２つのＭＵ２（たとえば、ＭＵ２ａ及びＭＵ２ｂ）から受信し、両ＳＶに基づいてインピーダンスを算出してもよい。データ送信部３３は、算出されたインピーダンスをＩＥＤ１ａ乃至１ｄへ送信してもよい。
【００５１】
以上のように構成されたデータ中継装置は、個々のＭＵに応じて補正を行うことができる。そのため、ＩＥＤが補正を行う必要がなく、データ中継装置は、ＩＥＤの負荷を軽減することができる。
【００５２】
（第２実施形態）
次に、第２実施形態について説明する。  
第２実施形態に係るデータ中継システムは、データ中継装置がデータを、当該データの送信先であるＩＥＤへ送信する点で第１実施形態に係るデータ中継システムと異なる。したがって、その他の点については、同一の符号を付してその詳細な説明を省略する。
【００５３】
図２は、第２実施形態に係るデータ中継システム１０の構成例を示すブロック図である。  
図２が示すように、データ中継装置３は、データ受信部３１、データ送信部３３、宛先判定部３５及び宛先情報格納部３６などを備える。  
データ受信部３１は、第１実施形態に係るそれらと同様の構成であるので説明を省略する。
【００５４】
宛先情報格納部３６は、計測装置（ＭＵ）２から受信されたデータをどのＩＥＤ１へ送信するかを示す情報（宛先情報）を格納する。宛先情報は、計測装置（ＭＵ）２ごとの送信先を示す。  
図２において示されるように、宛先情報格納部３６は、宛先情報として、ＩＥＤ１を識別する識別番号と計測装置情報とを対応付けて格納する。
【００５５】
識別番号は、ＩＥＤ１を特定する番号である。識別番号は、ＩＥＤ１に固有に割り当てられた番号である。図２が示すように、宛先情報格納部３６は、識別番号として「１ａ」、「１ｂ」、「１ｃ」及び「１ｄ」を格納する。ここでは、「１ａ」は、ＩＥＤ１ａを示す。また、「１ｂ」は、ＩＥＤ１ｂを示す。また、「１ｃ」は、ＩＥＤ１ｃを示す。また、「１ｄ」は、ＩＥＤ１ｄを示す。
【００５６】
計測装置情報は、対応するＩＥＤ１へ送信するデータを生成する計測装置（ＭＵ）２を示す。即ち、計測装置情報が示すＭＵ２が送信するデータは、対応するＩＥＤ１へ送信される。ここでは、「２ａ」は、ＭＵ２ａを示す。また、「２ｂ」は、ＭＵ２ｂを示す。また、「２ｃ」は、ＭＵ２ｃを示す。また、「２ｄ」は、ＭＵ２ｄを示す。
【００５７】
図２が示す例において、たとえば、宛先情報格納部３６は、識別番号「１ａ」に対応する計測器情報として「２ｂ」及び「２ｄ」を格納する。即ち、宛先情報格納部３６は、ＭＵ２ｂが送信する各データ、及び、ＭＵ２ｄが送信する各データをＩＥＤ１ａへ送信することを示す。
【００５８】
宛先判定部３５は、データ受信部３１が受信したデータを宛先情報格納部３６が格納する宛先情報に基づいてデータの送信先を決定する。  
即ち、宛先判定部３５は、データ受信部３１が受信したデータの計測装置情報２１を参照し当該データを送信した計測装置（ＭＵ）２を特定する。ＭＵ２を特定すると、宛先判定部３５は、宛先情報格納部３６から、当該ＭＵ２の送信先であるＩＥＤ１の識別番号を取得する。なお、宛先判定部３５は、複数個の識別番号を取得してもよい。
【００５９】
ＩＥＤ１の識別番号を取得すると、宛先判定部３５は、取得された識別番号をデータ送信部３３へ送信する。  
データ送信部３３は、宛先判定部３５が取得した識別番号が示すＩＥＤ１へデータ受信部３１が受信した計測装置情報２１、ＳＶ２２及び機器情報２３などを送信する。
【００６０】
次に、データ中継システム１０がデータをＭＵ２ａ乃至２ｄからＩＥＤ１ａ乃至１ｄへ中継する動作例について説明する。  
ここでは、ＭＵ２ｂが送信するデータを中継する動作例について説明する。  
ＭＵ２ｂが計測装置情報２１ｂ、ＳＶ２２ｂ及び機器情報２３ｂなどをデータ中継装置３へ送信する動作例については、第１実施形態に係るＭＵ２ａのそれと同様であるので説明を省略する。
【００６１】
データ中継装置３のデータ受信部３１は、ＭＵ２ｂから計測装置情報２１ｂ、ＳＶ２２ｂ及び機器情報２３ｂなどを受信する。  
データ受信部３１がＭＵ２ｂから各データを受信すると、宛先判定部３５は、計測装置情報２１ｂを参照し、各データを送信したＭＵ２を特定する。ここでは、宛先判定部３５は、各データを送信したＭＵ２としてＭＵ２ｂを特定する。
【００６２】
各データを送信したＭＵ２を特定すると、宛先判定部３５は、宛先情報格納部３６から、当該ＭＵ２から受信されたデータの送信先であるＩＥＤ１の識別番号を取得する。ここでは、宛先判定部３５は、各データを送信したＭＵ２としてＭＵ２ｂを特定している。したがって、宛先判定部３５は、ＭＵ２ｂから受信されたデータの送信先であるＩＥＤ１の識別番号を宛先情報格納部３６から取得する。図２が示す例において、宛先情報格納部３６は、ＭＵ２ｂのデータを送信されるＩＥＤ１の識別番号として、「１ａ」及び「１ｂ」を格納する。そのため、宛先判定部３５は、ＭＵ２ｂの送信先であるＩＥＤ１の識別番号として、「１ａ」及び「１ｂ」を取得する。
【００６３】
宛先判定部３５がデータの送信先であるＩＥＤ１の識別番号を取得すると、データ送信部３３は、当該識別番号が示すＩＥＤ１へ計測装置情報２１、ＳＶ２２及び機器情報２３などを送信する。ここでは、データ送信部３３は、識別番号「１ａ」が示すＩＥＤ１ａ及び識別番号「１ｂ」が示すＩＥＤ１ｂへ、計測装置情報２１ｂ、ＳＶ２２ｂ及び機器情報２３ｂなどを送信する。
【００６４】
ＩＥＤ１が各データを受信する動作例については、第１実施形態に係るそれと同様であるので説明を省略する。  
ＩＥＤ１が各データを受信すると、データ中継装置３は、動作を終了する。
【００６５】
なお、第２実施形態に係るデータ中継装置３は、第１実施形態に係るデータ中継装置３の特徴を備えてもよい。
【００６６】
以上のように構成されたデータ中継装置は、特定のＩＥＤに対してＭＵからのデータを送信することができる。そのため、ＩＥＤは、データ中継装置から送信されるデータを取捨選択する必要がなくなり、ＩＥＤの負荷が減少する。
【００６７】
（第３実施形態）
次に、第３実施形態について説明する。  
第３実施形態に係るデータ中継システムは、ＭＵが送信するデータの一部を特定のＩＥＤへ送信することができる点で、第２実施形態に係るデータ中継装置と異なる。したがって、その他の要素についてはその詳細な説明を省略する。
【００６８】
図３は、第３実施形態に係るデータ中継装置３の構成例を示すブロック図である。図３においては、ＭＵ２ａ乃至２ｄ及びＩＥＤ１ａ乃至１ｄを省略する。
【００６９】
データ中継装置３は、データ受信部３１、データ送信部３３、宛先判定部３５及び宛先情報格納部３６などを備える。  
データ受信部３１は、第２実施形態に係るそれと同一の構成であるので説明を省略する。
【００７０】
図３が示すように、データ中継装置３の宛先情報格納部３６は、宛先情報として、ＩＥＤ１の識別番号と必要情報とを対応付けて格納している。  
必要情報は、対応する識別番号が示すＩＥＤ１へ送信される情報を示す。即ち、識別番号が示すＩＥＤ１は、対応する必要情報が示す情報の送信先である。図３が示す例において、宛先情報格納部３６は、識別情報「１ａ」に対応する必要情報として「Ｄ１」を格納する。また、宛先情報格納部３６は、識別情報「１ｂ」に対応する必要情報として「Ｄ２」を格納する。また、宛先情報格納部３６は、識別情報「１ｃ」に対応する必要情報として「Ｄ３」を格納する。また、宛先情報格納部３６は、識別情報「１ｄ」に対応する必要情報として「Ｄ４」を、格納する。
【００７１】
たとえば、Ｄ１は、ＭＵ２ｃのＳＶ２２ｃなどである。この場合、データ中継装置３は、ＳＶ２２ｃをＤ１が対応する識別番号「１ａ」が示すＩＥＤ１ａへ送信する。  
なお、必要情報は、複数個の情報を格納してもよい。たとえば、Ｄ２は、ＭＵ２ｃの機器情報２３ｃとＭＵ２ｄの計測装置情報２１ｄとを格納してもよい。この場合、データ中継装置３は、機器情報２３ｃ及び計測装置情報２１ｄをＤ２が対応する識別番号「１ｂ」が示すＩＥＤ１ｂへ送信する。
【００７２】
宛先判定部３５は、宛先情報格納部３６が格納する宛先情報に基づいてデータ受信部３１が受信したデータの送信先を決定する。  
即ち、宛先判定部３５は、宛先情報格納部３６から、各データ（ここでは、計測装置情報２１、ＳＶ２２及び機器情報２３）の送信先であるＩＥＤ１の識別番号を取得する。
【００７３】
ＩＥＤ１の識別番号を取得すると、宛先判定部３５は、ＩＥＤ１の識別番号と、当該ＩＥＤ１へ送信するデータを示すデータ情報とを対応付けて、データ送信部３３へ送信する。
【００７４】
データ送信部３３は、宛先判定部３５の指示に従って、各データをＩＥＤ１ａ乃至１ｄへ送信する。即ち、データ送信部３３は、識別情報とデータ情報とを受信する。識別情報とデータ情報とを受信すると、データ送信部３３は、識別番号が示すＩＥＤ１へ対してデータ情報が示すデータを送信する。たとえば、データ送信部３３が識別番号「１ｂ」とＳＶ２２ｃを示すデータ情報とを受信した場合、データ送信部３３は、ＩＥＤ１ｂへＳＶ２２ｃを送信する。
【００７５】
次に、データ中継装置３がデータをＭＵ２ａ乃至２ｄからＩＥＤ１ａ乃至１ｄへ中継する動作例について説明する。  
ここでは、ＭＵ２ａが送信するデータを中継する動作例について説明する。  
また、宛先情報格納部３６は、Ｄ１として計測装置情報２１ａを示す情報を、Ｄ２としてＳＶ２２ａを示す情報を、及び、Ｄ３として機器情報２３ａを示す情報を格納しているものとする。
【００７６】
ＭＵ２ａが計測装置情報２１ａ、ＳＶ２２ａ及び機器情報２３ａなどをデータ中継装置３へ送信する動作例については、第１実施形態に係るＭＵ２ａのそれと同様であるので説明を省略する。
【００７７】
データ中継装置３のデータ受信部３１は、ＭＵ２ｂから計測装置情報２１ｂ、ＳＶ２２ｂ及び機器情報２３ｂなどを受信する。  
データ受信部３１がＭＵ２ｂから各データを受信すると、宛先判定部３５は、各データの送信先であるＩＥＤ１の識別番号を取得する。ここでは、宛先判定部３５は、計測装置情報２１ａの送信先であるＩＥＤ１の識別番号として「１ａ」を取得する。また、宛先判定部３５は、ＳＶ２２ａの送信先であるＩＥＤ１の識別番号として「１ｂ」を取得する。また、宛先判定部３５は、機器情報２３ａの送信先であるＩＥＤ１の識別番号として「１ｃ」を取得する。
【００７８】
各データの送信先であるＩＥＤ１の識別番号を取得すると、宛先判定部３５は、識別番号と当該識別番号が示すＩＥＤ１へ送信するデータを示すデータ情報とを対応付けて送信する。
【００７９】
データ送信部３３は、識別番号とデータ情報とを受信する。識別番号とデータ情報とを受信すると、データ送信部３３は、受信された識別番号とデータ情報とに基づいて、各データを、各データの送信先であるＩＥＤ１へ送信する。ここでは、データ送信部３３は、計測装置情報２１ａをＩＥＤ１ａへ送信する。また、データ送信部３３は、ＳＶ２２ａをＩＥＤ１ｂへ送信する。また、データ送信部３３は、機器情報２３ａをＩＥＤ１ｃへ送信する。
【００８０】
ＩＥＤ１が各データを受信する動作例については、第１実施形態に係るそれと同様であるので説明を省略する。  
ＩＥＤ１が各データを受信すると、データ中継装置３は、動作を終了する。
【００８１】
なお、ＭＵ２が送信するデータの中で識別番号が割り当てられていないデータがあってもよい。また、第３実施形態に係るデータ中継装置３は、第１実施形態に係るデータ中継装置３の特徴を備えてもよい。
【００８２】
以上のように構成されたデータ中継装置は、ＭＵが送信するデータの中から特定のデータを特定のＩＥＤへ送信することができる。そのため、データ中継装置は、ＩＥＤへ送信するデータを限定することができ、ＩＥＤの負荷をより減少させることができる。
【００８３】
（第４実施形態）
次に、第４実施形態について説明する。  
第４実施形態に係るデータ中継システムは、所定のデータをアナログデータに変換する点で第２実施形態に係るデータ中継システムと異なる。したがって、その他の点については、詳細な説明を省略する。
【００８４】
図４は、第４実施形態に係るデータ中継システム１０の構成例を示すブロック図である。  
図４が示すように、データ中継システム１０は、ＩＥＤ１ａ並びに１ｅ及びデータ中継装置３などを備える。  
ＩＥＤ１ｂ乃至１ｄ及びＭＵ２ａ乃至２ｄは、簡略化のため省略する。  
ＩＥＤ１ａは、第１実施形態に係るそれと同様であるので説明を省略する。
【００８５】
ＩＥＤ１ｅは、データ中継装置３から、ＭＵが送信するデジタルデータから変換されたアナログデータを取得する。また、ＩＥＤ１ｅは、接点１２ｅを用いて機器情報を取得する。
【００８６】
ＩＥＤ１ｅは、接点１２ｅ及び入力変換器１３ｅなどを備える。  
接点１２ｅは、電磁コイル３９が生じる磁場によって閉じた状態と開いた状態とに切り替わる。接点１２ｅは、磁化される部材から構成され、電磁コイル３９が生じる磁場に反応して動作する。たとえば、接点１２ｅは、初期状態として閉じた状態であって、電磁コイル３９の磁場によって開いた状態となってもよい。また、接点１２ｅは、初期状態として開いた状態であって、電磁コイル３９の磁場によって閉じた状態となってもよい。
【００８７】
ＩＥＤ１ｅは、接点１２ｅの状態をセンサすることができる。そのため、ＩＥＤ１ｅは、接点１２ｅを通じてデータ中継装置３からデータを取得することができる。  
ここでは、接点１２ｅは、機器情報２３を受信するために用いられる。即ち、データ中継装置３は、電磁コイル３９の磁場をオン又はオフにすることで機器情報２３をＩＥＤ１ｅへ送信する。また、ＩＥＤ１ｅは、接点１２ｅを通じてデータ中継装置３から機器情報２３を取得する。
【００８８】
入力変換器１３ｅは、アナログデータを取得するインターフェースである。入力変換器１３ｅは、データ中継装置３のＤ／Ａ変換部３８と電気的に接続される。入力変換器１３ｅは、Ｄ／Ａ変換部３８からアナログデータを取得する。入力変換器１３ｅは、取得されたアナログデータを他のデータ形式に変換してもよい。入力変換器１３ｅは、アナログデータを他の形式のアナログデータへ変換してもよいし、デジタルデータへ変換してもよい。
【００８９】
なお、ＩＥＤ１ｅは、他にデジタルデータを受信するインターフェースを備えてもよい。
【００９０】
データ中継装置３は、データ受信部３１、データ送信部３３、宛先判定部３５、宛先情報格納部３６、バッファ部３７、Ｄ／Ａ変換部３８、及び、電磁コイル３９などを備える。  
データ受信部３１は、第１実施形態に係るそれと同様であるので説明を省略する。
【００９１】
宛先判定部３５は、第２実施形態に係る宛先判定部３５の機能に加えて、送信先のＩＥＤ１へデジタルデータを送信するか又はアナログデータを送信するかを判定する。即ち、宛先判定部３５は、デジタルデータに対応しているＩＥＤ１には各データをデジタルデータのままで送信すると判定する。また、宛先判定部３５は、アナログデータに対応しているＩＥＤ１には各データをアナログデータへ変換して送信すると判定する。
【００９２】
宛先情報格納部３６は、識別番号に付随して、当該識別番号が示すＩＥＤ１がデジタルデータ又はアナログデータに対応しているかを示すＤＡ情報を格納してもよい。この場合、宛先判定部３５は、宛先情報格納部３６が格納するＤＡ情報に基づいて、上記の判定を行う。また、宛先判定部３５は、独自にＤＡ情報を格納してもよい。この場合、宛先判定部３５は、独自に格納するＤＡ情報に基づいて、上記の判定を行う。  
宛先判定部３５が上記の判定を行う方法は、特定の方法に限定されるものではない。
【００９３】
バッファ部３７は、計測装置情報２１、ＳＶ２２、及び機器情報２３などのデジタルデータを一時的に格納する。バッファ部３７は、宛先判定部３５がデジタルデータをアナログデータへ変換すると判定した場合に、当該デジタルデータを一時的に格納する。バッファ部３７は、Ｄ／Ａ変換部３８がデジタルデータをアナログデータへ変換するために一時的にデジタルデータを格納する。
【００９４】
Ｄ／Ａ変換部３８は、バッファ部３７が格納するデジタルデータをアナログデータへ変換する。たとえば、Ｄ／Ａ変換部３８は、計測装置情報２１及びＳＶ２２などのデジタルデータをアナログデータへ変換する。Ｄ／Ａ変換部３８は、変換されたアナログデータをＩＥＤ１ｅへ送信する。
【００９５】
また、Ｄ／Ａ変換部３８は、機器情報２３を送信するために、電磁コイル３９を励磁させる。Ｄ／Ａ変換部３８は、電磁コイル３９を励磁させる他の装置へ、電磁コイル３９を励磁させる命令を送信してもよい。
【００９６】
なお、アナログデータに対応したＩＥＤ１が多数ある場合、Ｄ／Ａ変換部３８は、アナログデータに対応した全てのＩＥＤ１へ接続されてもよい。
【００９７】
電磁コイル３９は、Ｄ／Ａ変換部３８からの命令に基づいて、励磁される。電磁コイル３９は、接点１２ａに近接する。電磁コイル３９が励磁されると、電磁コイル３９の磁気は、接点１２ａの状態を切り替える。  
なお、接点１２ａ及び電磁コイル３９は、一体としてリレーなどで構成されてもよい。
【００９８】
データ送信部３３は、宛先判定部３５がＩＥＤ１へ各データをデジタルデータのままで送信すると判定した場合に、当該デジタルデータを当該ＩＥＤ１へ送信する。
【００９９】
宛先情報格納部３６は、識別番号「１ａ」と計測装置情報「２ｂ」を対応付けて格納する。また、宛先情報格納部３６は、識別番号「１ｅ」と計測装置情報「２ａ」を対応付けて格納する。簡略化のため、識別番号「１ｂ」乃至「１ｄ」については省略する。
【０１００】
次に、データ中継装置３がデータをＭＵ２ａ乃至２ｄからＩＥＤ１ａ乃至１ｄへ中継する動作例について説明する。  
ここでは、ＭＵ２ａが送信するデータを中継する動作例について説明する。  
ＭＵ２ａが計測装置情報２１ａ、ＳＶ２２ａ及び機器情報２３ａなどをデータ中継装置３へ送信する動作例については、第１実施形態に係るＭＵ２ａのそれと同様であるので説明を省略する。
【０１０１】
データ中継装置３のデータ受信部３１は、ＭＵ２ａから計測装置情報２１ａ、ＳＶ２２ａ及び機器情報２３ａなどを受信する。  
データ受信部３１がＭＵ２ａから各データを受信すると、宛先判定部３５は、計測装置情報２１ａを参照し、各データを送信したＭＵ２を特定する。ここでは、宛先判定部３５は、各データを送信したＭＵ２としてＭＵ２ａを特定する。
【０１０２】
各データを送信したＭＵ２を特定すると、宛先判定部３５は、宛先情報格納部３６から、当該ＭＵ２から受信されたデータの送信先であるＩＥＤ１の識別番号を取得する。ここでは、宛先判定部３５は、各データを送信したＭＵ２としてＭＵ２ａを特定している。したがって、宛先判定部３５は、ＭＵ２ａから受信されたデータの送信先であるＩＥＤ１の識別番号を宛先情報格納部３６から取得する。図４が示す例において、宛先情報格納部３６は、ＭＵ２ａのデータが送信されるＩＥＤ１の識別番号として、「１ｅ」を格納する。そのため、宛先判定部３５は、ＭＵ２ａのデータを送信されるＩＥＤ１の識別番号として、「１ｅ」を取得する。
【０１０３】
データの送信先であるＩＥＤ１の識別番号を取得すると、宛先判定部３５は、識別番号が示すＩＥＤ１がアナログデータに対応したＩＥＤ１であるか判定する。ここでは、ＩＥＤ１ｅは、アナログデータに対応したＩＥＤ１であるので、宛先判定部３５は、識別番号「１ｅ」が示すＩＥＤ１ｅがアナログデータに対応したＩＥＤ１であると判定する。
【０１０４】
ＩＥＤ１ｅがアナログデータに対応したＩＥＤ１であると判定すると、宛先判定部３５は、計測装置情報２１ａ、ＳＶ２２ａ及び機器情報２３ａなどをバッファ部３７へ送信する。バッファ部３７は、計測装置情報２１ａ、ＳＶ２２ａ及び機器情報２３ａなどを格納する。
【０１０５】
バッファ部３７が計測装置情報２１ａ、ＳＶ２２ａ及び機器情報２３ａなどを格納すると、Ｄ／Ａ変換部３８は、バッファ部３７が格納する計測装置情報２１ａ及びＳＶ２２ａなどのデジタルデータをアナログデータへ変換する。なお、Ｄ／Ａ変換部３８は、バッファ部３７が計測装置情報２１ａ及びＳＶ２２ａなどのデジタルデータの全てを格納する前に、各データをアナログデータへ変換し始めてもよい。
【０１０６】
各データをアナログデータへ変換すると、Ｄ／Ａ変換部３８は、アナログデータへ変換された計測装置情報２１ａ及びＳＶ２２ａなどをＩＥＤ１ｅの入力変換器１３ｅへ送信する。アナログデータへ変換された計測装置情報２１ａ及びＳＶ２２ａなどをＩＥＤ１ｅの入力変換器１３ｅへ送信すると、Ｄ／Ａ変換部３８は、機器情報２３ａを送信するために、電磁コイル３９を励磁させる。なお、Ｄ／Ａ変換部３８は、電磁コイル３９の励磁の後に、計測装置情報２１ａ及びＳＶ２２ａの送信を行ってもよい。また、Ｄ／Ａ変換部３８は、両者を同時に行ってもよい。
【０１０７】
電磁コイル３９は、Ｄ／Ａ変換部３８の命令に基づいて励磁される。電磁コイル３９は、励磁されることによって、接点１２ａの状態を切り替える。
【０１０８】
ＩＥＤ１ｅの入力変換器１３ｅは、データ中継装置３の入力変換器１３ｅからアナログデータへ変換された計測装置情報２１ａ及びＳＶ２２ａなどを受信する。また、ＩＥＤ１ｅは、接点１２ｅを通じて機器情報２３ａを受信する。
【０１０９】
各データを受信すると、ＩＥＤ１ｅは、計測装置情報２１ａ、ＳＶ２２ａ及び機器情報２３ａを格納する。なお、ＩＥＤ１ｅは、計測装置情報２１ａ、ＳＶ２２ａ及び機器情報２３ａの中から必要なデータを格納してもよい。
【０１１０】
ＩＥＤ１ｅが各データを受信すると、データ中継装置３は、動作を終了する。  
なお、宛先判定部３５が、計測装置情報２１が示すＩＥＤ１がデジタルデータに対応するＩＥＤ１であると判定すると、データ送信部３３は、当該ＩＥＤ１へ各データをデジタルデータのままで送信する。
【０１１１】
また、第４実施形態に係るデータ中継装置３は、第１実施形態に係るデータ中継装置３及び第３実施形態に係るデータ中継装置３の特徴を備えてもよい。
【０１１２】
以上のように構成されたデータ中継装置は、アナログデータに対応するＩＥＤに対してデータをデジタルデータからアナログデータへ変換して送信することができる。そのため、データ中継装置は、アナログデータに対応するＩＥＤとデジタルデータに対応するＩＥＤとが混在していても、適切に各ＩＥＤへデータを送信することができる。
【０１１３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１４】
１ａ乃至１ｄ…ＩＥＤ（外部装置）、２ａ乃至２ｄ…ＭＵ（データ送信装置）、３…データ中継装置、１０…データ中継システム、２１ａ乃至２１ｄ…計測装置情報（データ送信装置情報）、２２ａ乃至２２ｄ…ＳＶ（計測結果）、２３ａ乃至２３ｄ…機器情報、３１…データ受信部（受信部）、３２…データ補正部（補正部）、３３…データ送信部（送信部）、３４…補正情報格納部、３５…宛先判定部、３６…宛先情報格納部、３８…Ｄ／Ａ変換部（変換部）。
【図１】
2015005043.tif 000003
【図２】
2015005043.tif 000004
【図３】
2015005043.tif 000005
【図４】
2015005043.tif 000006